(57)【特許請求の範囲】
【請求項１】
紙幣を格納する複数の紙幣格納装置を備えた自動出納機における紙幣の払い出し方法であって、
（ａ）第１の紙幣格納装置内の残留紙幣のレベルを検出するステップと、
（ｂ）前記第１の紙幣格納装置内の残留紙幣が低レベルであった場合には、前記第１の紙幣格納装置内の残留紙幣を補助格納装置に移送するステップと、
（ｃ）紙幣支払いの際に、前記補助格納装置内の紙幣を第２の紙幣格納装置内の紙幣に優先して払い出した後に前記第２の紙幣格納装置内から紙幣を払い出すステップと、
の各ステップを有することを特徴とする自動出納機における紙幣払い出し方法。
【請求項２】
紙幣を格納する複数の紙幣格納装置と、
第１の紙幣格納装置内の残留紙幣のレベルを検出する検出手段と、
紙幣を受領し、格納する少なくとも一つの補助格納装置と、
前記第１の紙幣格納装置内の残留紙幣が低レベルであった場合には、当該紙幣格納装置内の残留紙幣を前記補助格納装置に移送する移送手段と、
紙幣支払いの際に、前記補助格納装置内の紙幣を第２の紙幣格納装置内の紙幣に優先して払い出した後に前記第２の紙幣格納装置内から紙幣の払い出しを行う払出手段と、
を有することを特徴とする自動出納機。
【発明の詳細な説明】
【０００１】
【産業上の利用分野】
本発明は自動出納機（以下、「ＡＴＭ」という）、特にＡＴＭに紙幣を補給するための技術に関する。
【０００２】
【従来の技術】
在来のＡＴＭでは紙幣の束は一つ以上のカセットに格納され、顧客からの有効な現金引き出し請求を受け取ると紙幣がカセットから抽き出され、コンソールの現金払い出しスロットに移送される。ＡＴＭは一般に少なくとも二つの異なる額面の紙幣を払い出すことができ、通常、各特定の額面の紙幣に対して別個のカセットが用意されている。
【０００３】
ＡＴＭの或カセット内に残留する紙幣の数が、当該カセット内に残留している紙幣を使っては通常の顧客の現金引き出し請求を満たしうることを保証するのには十分でないような予定臨界レベルに達すると、低レベルであることを示す指示が出ることが望ましい。そのような指示は通常、押し出し機組立体に連動した永久磁石を含んだセンサによって与えられる。その押し出し機組立体は紙幣が抽き出されるとカセットの出口端に向けて紙幣を付勢するように構成されている。この押し出し機組立体が出口端付近のある位置に達すると、ＡＴＭ内に装着された読み取りスイッチが前記永久磁石によって作動され、当該カセット内の紙幣の数が予定低レベルに達したことを示す。リードスイッチは普通、約７５ないし１００枚の紙幣がカセット内に残留すると低レベルの指示を出すように位置されている。
【０００４】
【発明が解決しようとする課題】
ＡＴＭによっては、一つの特定のカセットからの紙幣の払い出しは低レベル状態が検出されると直ちに保留される。これは「払い出し不足」の危機を取り除くとともに当該カセット内に含まれる以上の紙幣を請求する顧客が待つ時間を最小限に留めるためである。しかしもっと精巧なＡＴＭではＡＴＭを制御するのに使用される管理ソフトウェアは、任意の時点でそれまでに現金引き出し取引で引き出された紙幣の数に基づいてカセットの残留内容を決定することができる。そのようなＡＴＭでは、少なくともある特定の取引で請求されている紙幣の何枚かがカセット内に残っている、とＡＴＭの制御器ユニットが判断すれば、カセットからの払い出しはそのカセットに低レベル指示が出た後でも続行することができる。
【０００５】
補給オペレーションの期間中、空になった、あるいは低レベルになったカセットは、オペレーターによりＡＴＭから取り出され、その場で再充填される。しかしもっと普遍的には、安全性の理由からそのようなカセットは当該ＡＴＭから遠隔地にある補充所で予め完全に充填したカセットで交換されて金融機関に戻される。実際、いくつかの補充手順ではＡＴＭ内のすべてのカセットを残留内容の如何によらず、完全に充填したカセットで計画的に交換し、オペレーションの効率を最大限にすることが行われている。したがって、補給手順の期間中、「低レベル」状態のカセットと同様、実質的な量の金銭を含んだカセットがＡＴＭから除去される。空でないそのようなカセットを金融機関に戻すことは、補給前にそのカセットを空にして残量を検査しなければならないので非能率であり、経費が高くつき、時間の浪費である。
【０００６】
空でない紙幣カセットの取り扱いはまた、当該カセットが補給の行われる前に手を加えられるかもしれない等の安全上の危険があるため、好ましくない。そのような不正を発見することは困難である。というのは、ＡＴＭで使用される管理ソフトウェアがカセットの残留量を常時指示することができない状況ではカセット内の残留紙幣の精確な検査が困難だからである。
【０００７】
【課題を解決するための手段】
本発明の課題は上記の困難を緩和するＡＴＭを与えることである。
【０００８】
本発明は第１の局面で、紙幣を格納する複数の紙幣格納装置を備えた自動出納機における紙幣の払い出し方法であって、（ａ）第１の紙幣格納装置内の残留紙幣のレベルを検出するステップと、（ｂ）前記第１の紙幣格納装置内の残留紙幣が低レベルであった場合には、前記第１の紙幣格納装置内の残留紙幣を補助格納装置に移送するステップと、（ｃ）紙幣支払いの際に、前記補助格納装置内の紙幣を第２の紙幣格納装置内の紙幣に優先して払い出した後に前記第２の紙幣格納装置内から紙幣を払い出すステップと、の各ステップを有することを特徴とする自動出納機における紙幣払出方法を与える。
【０００９】
本発明は他の曲面で、紙幣を格納する複数の紙幣格納装置と、第１の紙幣格納装置内の残留紙幣のレベルを検出する検出手段と、紙幣を受領し、格納する少なくとも一つの補助格納装置と、前記第１の紙幣格納装置内の残留紙幣が低レベルであった場合には、当該紙幣格納装置内の残留紙幣を前記補助格納装置に移送する移送手段と、紙幣支払いの際に、前記補助格納装置内の紙幣を第２の紙幣格納装置内の紙幣に優先して払い出した後に前記第２の紙幣格納装置内から紙幣の払い出しを行う払出手段と、を有することを特徴とする自動出納機を与える。
【００１０】
かかる補助格納装置は、紙幣の支払いを請求されると主格納装置よりも優先的に紙幣の払い出しをするように構成できる。
【００１１】
複数の補助格納装置を与えて互いに異なる額面の銀行券を保持するようにすることができる。
【００１２】
【実施例】
添付の図面を参照して本発明の一実施例を説明する。
【００１３】
参照する図１および図２に示すように、ＡＴＭ１０の正面には、ユーザーの同定カードを挿入するためのカードリーダースロット１４と、キーパッド１６と、ユーザーに銀行券を配送する現金払い出しスロット１８と、ディスプレイスクリーン２０と、取引の終わりにユーザーに取り引きレシートを配送するレシートプリンタスロット２２とを含んだユーザーパネル１２が設けられている。ＡＴＭ１０のユーザーパネル１２に設けたそれぞれのスロット１４、１８、２２に関連するカードリーダー、現金払い出し機、およびレシートプリンタモジュールは、図２に同一の参照番号で示してある。通常のＡＴＭ取引では、ユーザーはカードリーダースロット１４内に自分のカードを挿入し、カード上に符号化されているデータが読み取られる。するとディスプレイスクリーン２０上に指示が表示される。ユーザーはキーパッド１６上に個人同定番号（Personal Identification Number, PIN）を入力するように要請され、その番号は通常、当該ＡＴＭ１０から遠隔地の中央処理所で有効性が確認される。もしも挿入したカードから読み取られた情報に対してPINが正しいことが決定されると、ユーザーが利用できる種々の設備がディスプレイスクリーン２０上に表示される。現金引き出し設備が選択されると、ユーザーはキーパッド１６であるいはディスプレイスクリーン２０の側部に用意された別のキー２４で必要な金額を入力するように要請される。
【００１４】
ＡＴＭ１０はさらに、ユーザーパネル１２の諸コンポーネント、ＡＴＭの内部に装着されたオペレーターパネル２６、およびＡＴＭ１０の他のいろいろのオペレーティング機構と通信するコントローラユニット３０を含む。オペレーターパネル２６はキーパッド２７、ディスプレイスクリーン２８およびプリンタ２９を含む。コントローラユニット３０は、プロセッサユニット３２およびバス線３６を介してプロセッサユニット３２に接続されたメモリユニット３４を含む。プロセッサユニット３２は、カードリーダースロット１４、ユーザーパネルキーパッド１６およびオペレーターパネルキーパッド１７から入力信号を受信し、その出力を現金払い出し機１８の種々の機構とユーザーおよびオペレーターパネル１２、２６のディスプレイ２０、２８に、そしてユーザーパネルのレシートプリンタ２２およびオペレーターパネルプリンタ２９に与える。プロセッサユニット３２は現金払い出し機１８により払い出される現金の量、ディスプレイスクリーン２０、２８上に表示される情報、およびレシートプリンタスロット２２、２９により印刷される情報を制御することを了解されたい。
【００１５】
参照する図３２に示すように、プロセッサユニット３２により制御される現金払い出し機１８内の種々の機構には、重なった多重銀行券を検出するための多重紙幣検出器５８、紙幣カセット４０から紙幣を取り出すための真空作動式ピッカー装置４４、一つ以上の紙幣カセット４０から取り出された紙幣を輸送する輸送機構４５、および補助格納装置５４の駆動モーター５３が含まれる。プロセッサユニット３２はマイクロコンピュータを含むことができる。メモリユニット３４は不揮発性RAMでよい。適当なコンピューターおよびメモリが市販されており、直ちに入手できる。それらの構造と動作は公知であり、ここには詳述しない。
【００１６】
図３を参照して本発明を実施した現金払い出し機１８の主な動作部を以下に説明する。銀行券の束３８はカセット４０内に保持され、これらカセットはコンパートメント４２内に滑動されて装着され、いろいろの額面の紙幣を保持する。ピッカー装置４４は各カセット４０から紙幣を取り出す働きをする。輸送機構４５は、分岐機５２により結ばれた三つの送り路４６、４８、５０と連動し、紙幣を一つの場所から別の場所へＡＴＭ１０内を移送する働きをする。分岐機５２はＡＴＭ内で選択された紙幣輸送路に基づいていろいろの位置まで回転するよう、コントローラユニット３０により制御される。
【００１７】
輸送機構４５は紙幣カセット４０から取り出された紙幣を、顧客へ配送するための第二の一方向送り路４８、もしくは補助格納装置へ配送するための第三の二方向送り路５０のいずれかに向けて、第一の一方向送り路４６に沿って移送する。誤って取り出され、多重紙幣検出器５８により検出された任意の紙幣を第一拒絶容器６０内に指向するため、第二の分岐機５６が第一送り路４６に沿って設けられている。
【００１８】
一連の協同ベルト８０、８２、８４、および８６を介して現金払い出しスロット１８から顧客へ配送されるのに先立って紙幣を堆積させるため、送り路４８の終了部に、堆積ホイール６２および剥離板組立体７０が設けられている。堆積ホイール６２は堆積ホイール６２の軸６６に沿って平行に離隔された複数の堆積板６４を含む。各堆積板６４は、軸７４上に揺動可能に装着された剥離板組立体７０の指７２の間を通過する一連の湾曲した枝６８を含む。現金引き出し取引の終了時に顧客が現金の取り出しを忘れた場合に現金払い出しスロット１８から後退される紙幣に対して、別の拒絶容器７６が設けてある。
【００１９】
図４には補助格納装置５４がさらに詳細に図示してあるが、この装置は他の種々の物理的形態、例えば格納スタックのような形態を採りうることを了解されたい。図４に示す補助格納装置は「最後に入れたものから最初に出す」方式で作動され、好ましくは紙幣カセット４０よりも小さな慣性をもつように選択すること、従って紙幣カセット４０から払い出しされるよりも高速に紙幣を払い出しできるように選択することが好ましい。補助格納装置５４は、主格納ドラム９０、ハウジング９６内に回転可能に装着された第一および第二テープフィーダードラム手段９２および９４を含む。第一テープ９７がその一端を主格納ドラム９０にしっかりと留められ、反対端でテープフィーダードラム手段９２に留められている。第二のテープ９８はその一端を主格納ドラム９０に留められ、反対端を第二テープフィーダードラム手段９４に留められる。テープ９７、９８は主格納ドラム９０およびそれぞれのフィーダードラム手段９２、９４の周りに巻かれる。各テープ９７、９８は主格納ドラムの軸線に沿って離隔された二つ以上の別々のテープを含みうること、他方各テープフィーダードラム手段９２、９４は共通の軸線に沿って離隔された二つ以上の別個のドラムを含みうることを了解されたい。
【００２０】
振り込みモードでは主格納ドラム９０は（図４で見て）反時計周りに回転駆動され、テープ９７、９８を巻きとり、それらの間に紙幣を保持し、主格納ドラム９０上にもたらす。従って紙幣はテープ９７、９８の間に挟まれて主格納ドラム９０上に確実に保持される。払い出しモードではテープフィーダードラム手段９２、９４は時計回りに回転駆動され、テープ９７、９８を主格納ドラム９０から解きほどき、保持する個々の紙幣を解除し、補助格納装置５４外に送り出す。
【００２１】
図３を参照して、本発明を実施したＡＴＭの動作を説明する。顧客の有効な現金引き出し請求を受けると、必要な紙幣がピッカー装置４４によりカセット４０から取り出され、輸送機構４５により送り路４６に沿って送られる。紙幣が送られる方向はその長さに直角な方向である。多重紙幣検出器５８により重なった多重紙幣があることが検出されると、送り路４６に沿って紙幣の通過が遮断される位置まで第二の分岐機５６が回転されるように制第二の分岐機５６が御され、当該多重紙幣はロール５９を介して拒絶容器６０中に指向される。
【００２２】
単一の紙幣が検出されると、当該紙幣は分岐機５２に向けて進行する。この分岐機５２はコントローラユニット３０により制御されて、当該紙幣を送り路４６から送り路４８に指向させるように回転される。紙幣は次いで静止したベルト８０上に積載されるよう、堆積ホイール６２に向けて送られる。各紙幣は堆積板６４が隣接する枝６８の間に入り、堆積ホイール６２の軸線の周りに部分的に担持される。紙幣は剥離板組立体７０の指７２によって堆積ホイール６２から剥離され、長手の縁を剥離板組立体７０上に静止させてベルト８０に堆積される。ベルト８０は揺動可能に装着されている一対のベルト８２（その一部のみを図示する）と協同する。ベルト８２は、ベルト８０とベルト８２との間に紙幣の束を捕捉するよう、時計回りに揺動される。ベルト８０、８２は次いで別の一対のベルト８４、８６間で紙幣の束を駆動するように作動される。ベルト８４、８６は、その紙幣の束をシャッター８８を通過させて紙幣がＡＴＭのユーザーパネル１２の現金払い出しスロット１８から突出する位置まで紙幣を輸送するように駆動される。
【００２３】
顧客が現金払い出しスロット１８から突出するその紙幣を除去するのに失敗した場合は、他人が紙幣をもってゆくことを防止するため、予定の時間が経過すると当該紙幣はシャッター８８から後退される。後退させた紙幣をベルト８０上に担持するため、ベルト８４および８６は反対方向に駆動される。剥離板組立体７０は図３に鎖線の輪郭で示す位置まで揺動され、ベルト８０、８２が当該束を正規の送り方向とは反対の方向に送るように動作される。後退させた紙幣の束は頂部の開口７８を経由して拒絶容器７６中に投入される。
【００２４】
紙幣をカセット４０から補助格納装置５４まで移送すべきときは、紙幣はピッカー装置４４によって紙幣カセット４０から抽き出され、上述したように送り路４６によって送られる。分岐機５２は取り出された紙幣が送り路４６から送り路５０に指向させるように制御される。紙幣は次いで格納のため、補助格納装置５４に送られる。誤って出されて多重紙幣検出器５８によって検出された紙幣はすべて、上述したように拒絶容器６０に指向される。紙幣の額面と紙幣が補助格納装置５４に移送される順序とがコントローラユニット３０のメモリ３４に格納される。
【００２５】
補助格納装置５４内に格納された紙幣は紙幣カセット４０から抽き出される紙幣よりも優先的に、あるいは追随的に、その後の顧客の取引のときに払い出すことができる。もしも必要とする紙幣の少なくとも何枚かが補助格納装置５４内に利用可能のなものとして存在するなら、それらは「最後に入れたものから最初に出す」方式で払い出され、分岐機５２に向けて送り路５０に沿って送られる。ＡＴＭのユーザーパネル１２の現金払い出しスロット１８から顧客に紙幣が配送されるに先立って、紙幣を堆積ホイール６２まで輸送するため、分岐機５２は紙幣を送り路５０から送り路４８に指向させるように制御される。
【００２６】
図２、図３および図５の流れ図を参照して図１のＡＴＭ１０の現金払い出しスロット１８の補給シーケンスを説明する。シーケンスの最初のステップ１２０で、ＡＴＭの担当オペレーターはＡＴＭハウジング内のオペレーターパネル２６のキーパッド２７に同定データを入力する。このデータは安全上の理由からステップ１２２でＡＴＭコントローラユニット３０のプロセッサユニット３２によって有効性が確認される。もしもオペレーター同定データが有効であると確認されると、プロセッサユニット３２はＡＴＭ１０を管理者モードにする（ステップ１２４）が、この段階ではＡＴＭ１０は顧客が現金引き出しに利用することはできない。オペレーター同定データがステップ１２２で有効性を確認されないと、オペレーターは現金払い出し機１８へのアクセスを拒絶され、管理者モード（ステップ１２４）に入れない。管理者モードではオペレーターは、オペレーターパネル２６のディスプレイ２８に表示された種々のメンテナンス手続きオプションのメニューを提示される。オペレーターは補給オプションを選択する（ステップ１２６）。
【００２７】
ステップ１２８でＡＴＭコントローラユニット３０はＡＴＭステータスレポートをホストコンピューターに送り、オペレーターパネルプリンタ２９によりオペレーターのためにコピーが印刷される。このレポートはＡＴＭ１０内の各紙幣カセット４０の現状に関する情報を与えるもので、空であるカセットおよび低レベル状態が検出されているカセットの同定情報、および補助格納装置５４（ESCROW)の現在の内容とその残りの格納容量とに関する情報を含む。
【００２８】
ステップ１３０で演算増幅器は「除却（PURGE）」オプションを選択することができる。コントローラユニット３０のプロセッサユニット３２はカセットの現在の内容物と補助格納装置５４の残りの容量とに基づいて除却すべきカセット４０の優先順位を決定し、除却命令を発生する。紙幣カセット４０はより高額の額面の紙幣を含むものおよび最少数の紙幣を含むものに優先順位が与えられる。例えば、ＡＴＭにより払い出される最高額面の銀行券を含むがまだ低レベル状態には達していない紙幣カセット４０の内容物を、補助格納装置５４が収容する余裕がある、と決定されると、低レベルであることが検出されている任意のカセット４０の内容物に加えて最高額面の紙幣も移送される。これによって低レベル状態に近づきつつある紙幣カセット４０もまた補給シーケンス過程で補給することが可能となり、その結果、ＡＴＭの補給オペレーションの効率がいっそう改善され、ＡＴＭの格納容量が最大化される。もしも補助格納装置５４が十分に大きな格納容量を有しており、補給時にかなり空の状態であるなら、すべてのカセット４０の内容物を補助格納装置５４に移送することも可能である。
【００２９】
ステップ１３２で除却命令によって、ピッカー装置４４がアクティプ化され、プロセッサユニット３２により選択された紙幣カセット４０内に残留する紙幣が一枚づつ抽き出され、それら紙幣が上述したように補助格納装置５４へ移送される。補助格納装置５４へ移送された紙幣の、額面および移送された順序を含む記録が、ＡＴＭコントローラユニット３０のメモリ３４に格納される（ステップ１３４）。
【００３０】
除却シーケンスが完了すると、ＡＴＭのカセットコンパートメント４２へのアクセスが許可される前に、オペレーターは ＡＴＭ内に挿入する完全充填したカセット４０およびカセット同定コードおよびカセット内に収納されている紙幣の量および額面に関するデータを入力するように要求される。このデータはステップ１３６でオペレーターパネル２６のキーパッド２７を介してオペレーターにより入力され、ＡＴＭ１０のメモリ３４に格納される。それゆえ各紙幣カセット４０内の紙幣の収支は、その特定のカセット４０からの紙幣の払い出しが関与するその後の取引時に更新することができる。ステップ１３８で、入力データに基づいて更新されたＡＴＭステータスレポートがホストコンピューターに送られる。
【００３１】
ステップ１３０でオペレーターにより除却オプションが選択されないと、補助格納装置５４へのカセット内容物の移送は全く行われず、シーケンスはステップ１３６に進み、オペレーターは完全充填されたカセット４０をＡＴＭ１０に挿入するよう、要求される。
【００３２】
空のカセットを除去し、それらを完全充填したカセットで交換するため、ステップ１４０でオペレーターは現金払い出し機１８のカセットコンパートメント４２へのアクセスを許可される。すべての空のカセット４０が交換されると、カセットコンパートメント４２が閉じられ、オペレーターはオペレーターパネル２６のキーパッド２８に表示されているメニューから「正規サービス再開」オプションを選択する（ステップ１４２）。この段階でＡＴＭ１０は顧客による現金払い出しに対して利用可能となる。したがって、空でないカセットの処理に関わる安全上の危機が除去され、また、カセットは空の状態で金融機関に返却されるので、時間の無駄が無く、カセット補給前の不経済な残留物検査がまったく不必要となる。
【００３３】
その代わりとなる本発明の実施例では、紙幣カセット４０の残留物は自動的に空の補助格納装置５４へ移送され、特定のカセット４０の低レベル状態が直ちに検出される。低レベルであることを示すそのような指示（以下、低レベル指示という）は各紙幣カセット４０内に装着された公知の磁気センサにより、あるいはＡＴＭのコントローラユニット３０によって、与えることができる。通常、この指示は約７５ないし１００枚の紙幣が紙幣カセット４０内に残っているときに起きる。しかし紙幣の収支が任意の予定値に達したときに低レベル指示を与えるように磁気センサを構成し、あるいはコントローラユニット３０をプログラムすることができる。
【００３４】
また、任意の数の補助格納装置５４を与えることができること、また任意の数の各補助格納装置５４を、需要性の高そうな額面の銀行券を保持するように設計することができることを了解されたい。二つ以上の補助格納装置５４が用意される本発明の一実施例では、補給シーケンスのステップ１２４においてオペレーター同定データの有効性が確認されてもＡＴＭは「管理者モード」に入れず、ＡＴＭは通常のサービスに留まる。上述したように、除却オプションがステップ１３０でオペレーターにより選択され、除却すべきカセット内容物は額面に従って、特定の額面の紙幣を保持するように設計された特定の補助格納装置５４に移送される。補給シーケンスは上述したように続く。補給シーケンスの残りの期間中に要求される任意の顧客取引に必要な紙幣が補助格納装置５４の適当なものから払い出される。したがって、 カセットから補助格納装置への紙幣の移送が行われている短期間を除き、ＡＴＭは補給シーケンス期間中、顧客の取引に常時利用可能である。これによって「ＡＴＭのサービス休止中」という不便が除去され、顧客サービスが改善される。
【００３５】
【効果】
以上に説明したように、本発明は従来のＡＴＭに関わるいろいろの欠点を回避できる改良されたＡＴＭを与える。特に現金払い出し機のカセット内に残留する紙幣が減少したとき、補給時に当該カセットを完全充填したカセットで交換する前に現金を補助格納装置に移送することができるので、空でないカセットを取り扱うことが不要となる。この移送は自動的に行うことができ、また残留する紙幣の額面と残留量に応じてカセットに優先順位をつけて行うことができる。顧客へのサービスは紙幣補給の期間中も行うことができる。したがってカセット内の紙幣の補給における安全性が確保されるとともに、ＡＴＭの利用に時間的、経済的な無駄が生じない。
【図面の簡単な説明】
【図１】本発明を採用する自動出納機（ＡＴＭ）外面の斜視図である。
【図２】図１のＡＴＭのブロック線図である。
【図３】図１のＡＴＭの現金払い出し機の主要作動部の線図である。
【図４】図３の現金払い出しに使用できる補助格納装置の線図である。
【図５】図３の現金払い出し機の補給オペレーションを表す流れ図である。
【符号の説明】
１０       自動出納機（ＡＴＭ）
１２       ユーザーパネル
１４       カードリーダースロット
１６       ユーザーパネルのキーパッド
１７       オペレーターパネルのキーパッド
１８       現金払い出し機
２０       ディスプレイスクリーン
２２       レシートプリンタスロット
２４       キー
２６       オペレーターパネル
２７       キーパッド
２８       ディスプレイスクリーン
２９       プリンタ
３０       コントローラユニット
３２       プロセッサユニット
３４       メモリユニット
３６       バス線
３８       銀行券の束
４０       紙幣カセット
４２       コンパートメント
４４       ピッカー装置
４５       輸送機構
４６-５０  送り路
５４       補助格納装置
５２       第一分岐機
５３       駆動モーター
５６       第二分岐機
５８       多重紙幣検出器
５９       ロール
６０       第一拒絶容器
６２       堆積ホイール
６４       堆積板
６８       枝
７０       剥離板組立体
７２       指
７６       第二拒絶容器
８０-８６  協同ベルト
９０       主格納ドラム
９６       ハウジング
９２       第一テープフィーダードラム手段
９４       第二テープフィーダードラム手段
９７-９８  第一テープ
【図１】
0004588131.tif 000002
【図２】
0004588131.tif 000003
【図３】
0004588131.tif 000004
【図４】
0004588131.tif 000005
【図５】
0004588131.tif 000006